【事件の表示】
　特許第３２７７２７４号「パチンコ機」の請求項１に係る特許に対する特許異議の申立てについて、次のとおり決定する。
【結　論】
　訂正を認める。
　特許第３２７７２７４号の請求項１に係る特許を維持する。
【理　由】
１．手続の経緯
　本件特許第３２７７２７４号の請求項１に係る発明についての出願は、平成３年６月２８日に出願された特願平３−１８３５５１号の一部を平成１０年６月２９日に新たな特許出願とし、平成１４年２月１５日にその発明について特許権の設定登録がなされた後、その特許について、平成１４年１０月２２日に特許異議の申立てがなされ、取り消し理由を通知したところ、平成１５年８月２１日に特許権者より特許異議意見書と共に訂正請求書が提出され、平成１５年１１月１４日に異議申立人から回答書が提出された。
　
２．訂正請求について
２-1．訂正の内容
　特許権者が求めている訂正の内容は、次のとおりである（下線部分が訂正個所である。）。
（１）訂正事項ａ
　特許明細書の特許請求の範囲における請求項１に記載された「特別入賞装置内の第１特定領域をパチンコ球が通過したことにより、複数の識別情報を所定時間変動表示させた後、前記識別情報の中からいずれかを停止表示する表示装置を設け、前記識別情報の中の特定識別情報が停止表示された時に発生する権利発生遊技状態中に、パチンコ球が第２特定領域を通過したことに基づいて可変入賞装置を遊技者に不利な第２の状態から遊技者に有利な第１の状態にするパチンコ機において、前記特別入賞装置内に当り孔と外れ孔を備えた円盤を設け、前記当り孔に入賞し、前記第１特定領域へ誘導され、該領域を通過したパチンコ球は、前記複数の識別情報の中からいずれかの識別情報が可変表示装置に停止表示されるまで所定の位置に保持され、前記特定識別情報が前記可変表示装置に停止表示されとき、前記権利を発生させる特別装置作動領域に誘導されることを特徴とするパチンコ機。」を、
　「特別入賞装置内の第１特定領域をパチンコ球が通過したことにより、
複数の識別情報を所定時間変動表示させた後、前記識別情報の中からいずれかを停止表示する
可変
前記特別入賞装置内に当り孔と外れ孔を備えた円盤を設け、
前記当り孔に入賞し、前記第１特定領域へ誘導され、該領域を通過したパチンコ球は、前記複数の識別情報の中からいずれかの識別情報が
前記
予め定められた複数種の停止表示確率のいずれかで停止表示される
た
前記確率の中から最小の確率が選択される
を、発
（２）訂正事項ｂ
　特許明細書の段落【００１２】を、
　「【課題を解決するための手段】
　上記目的を達成するために、請求項１のパチンコ機係る発明は、特別入賞装置内の第１特定領域をパチンコ球が通過したことにより、複数の識別情報を所定時間変動表示させた後、前記識別情報の中からいずれかを停止表示する
可変
前記
予め定められた複数種の停止表示確率のいずれかで停止表示される
た
前記確率の中から最小の確率が選択される
を、発
（３）訂正事項ｃ
　特許明細書の段落【００１３】の記載を削除する。
（４）訂正事項ｄ
　特許明細書の段落【００９２】（本件特許公報９頁右欄５行）に記載された「権利が消滅することをを抑止できる」を「権利が消滅すること
を抑
２-2．訂正の適否
（１）訂正事項ａについて
　上記訂正事項ａにおいて、「表示装置」を「可変表示装置」と、「停止表示されとき」を「停止表示されたとき」と訂正することは誤記の訂正を目的とするものである。
　また、上記訂正事項ａにおいて、「前記特定識別情報」を、「予め定められた複数種の停止表示確率のいずれかで停止表示される前記特定識別情報」と訂正することは、「特定識別情報」が予め定められた複数種の停止表示確率のいずれかで停止表示されるものに限定するものであるから、特許請求の範囲の減縮を目的とするものであり、「前記権利」を「前記確率の中から最小の確率が選択される前記権利」と訂正することは、「権利」が発生したときには権利が発生する確率が最小のものに選択されることに限定するものであるから、特許請求の範囲の減縮を目的とするものである。
　そして、「予め定められた複数種の停止表示確率のいずれかで停止表示される前記特定識別情報」については、特許明細書の段落【００１８】、【００３０】に記載されており、「前記確率の中から最小の確率が選択される前記権利」については、特許明細書の段落【００４７】に、「特定識別情報が識別情報表示制御手段39によって選択される確率いいかえれば権利の発生確率は２種類あり、権利モード「０」、権利モード「１」および権利モード「３」における権利の発生確率値は、権利モード「２」における権利の発生確率値よりも小さい。」と記載されている。
　よって、上記訂正事項ａによる訂正は、願書に添付した明細書又は図面に記載した事項の範囲内においてするものであって新規事項を追加するものでなく、かつ、実質上特許請求の範囲を拡張し、又は変更するものではない。
（２）訂正事項ｂ及びｃについて
　上記訂正事項ｂ及びｃは、発明の詳細な説明の記載を訂正後の特許請求の範囲の記載と整合させるためのものであるから、その訂正は明りょうでない記載の釈明を目的とするものであり、願書に添付した明細書又は図面に記載した事項の範囲内においてするものであって新規事項を追加するものでなく、かつ、実質上特許請求の範囲を拡張し、又は変更するものではない。
（３）訂正事項ｄについて
　上記訂正事項ｄは、誤記の訂正を目的とするものであり、その訂正は願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立てについて
３-1．特許異議申立ての理由の概要
　本件特許の請求項１に係る発明は、本件特許出願前に頒布された刊行物である下記の甲第１号証に記載の発明及び周知な技術（甲第２号証乃至甲第７号証）に基づいて、その発明の属する技術分野における通常の知識を有する者が容易に発明をすることができたものであるから、その特許は、特許法第２９条第２項の規定に違反してされたものであり、特許法第１１３条第２号の規定により取り消されるべきものである。
　　　　　　　　　　　　　　　　　記
　甲第１号証：特開昭６３−２２９０８３号公報
　甲第２号証：「パチンコ必勝ガイド１９９１．５月号（第３巻第６号（通巻第３９号））」（白夜書房　平成３年５月１日発行）１２３〜１２５頁
　甲第３号証：「パチンコ必勝ガイド１９９１．６月号（第３巻第７号（通巻第４０号））」（白夜書房　平成３年６月１日発行）７０〜７３頁
　甲第４号証：「パチンコ攻略マガジン１９９１．６月号（第３巻第８号（通巻第３２号））」（株式会社双葉社　平成３年６月１日発行）１８〜２３頁
　甲第５号証：特開昭６２−１５２４８８号公報
　甲第６号証：特開昭６３−１４５６８７号公報
　甲第７号証：特開平２−１７２４８２号公報
　
３-2．本件発明
　上記「２．訂正請求について」で示したように上記訂正が認められるから、本件の請求項１に係る発明（以下、「本件発明」という）は、訂正後の特許明細書の特許請求の範囲の請求項１に記載された次のとおりのものである。
　「特別入賞装置内の第１特定領域をパチンコ球が通過したことにより、複数の識別情報を所定時間変動表示させた後、前記識別情報の中からいずれかを停止表示する可変表示装置を設け、前記識別情報の中の特定識別情報が停止表示された時に発生する権利発生遊技状態中に、パチンコ球が第２特定領域を通過したことに基づいて可変入賞装置を遊技者に不利な第２の状態から遊技者に有利な第１の状態にするパチンコ機において、
　前記特別入賞装置内に当り孔と外れ孔を備えた円盤を設け、前記当り孔に入賞し、前記第１特定領域へ誘導され、該領域を通過したパチンコ球は、前記複数の識別情報の中からいずれかの識別情報が前記可変表示装置に停止表示されるまで所定の位置に保持され、予め定められた複数種の停止表示確率のいずれかで停止表示される前記特定識別情報が前記可変表示装置に停止表示されたとき、前記確率の中から最小の確率が選択される前記権利を、発生させる特別装置作動領域に誘導されることを特徴とするパチンコ機。」
　
３-3．甲号各証に記載された発明
（１）甲第１号証（特開昭６３−２２９０８３号公報）には、以下の記載が認められる。
（１-a）「弾球遊技機１の遊技盤２上に形成された一般遊技領域４には、入賞球装置３と可変入賞球装置６とが配設され、その可変入賞球装置６は開閉自在な開閉板７とその両側位置に始動入賞孔８ａ，８ｂとを有する。入賞球装置３に囲まれた特別遊技領域内に進入したパチンコ玉が、後述する特定入賞領域に進入し、かつ、後述する可変表示装置が所定の表示結果となった場合に、権利発生状態となり、その状態で前記始動入賞孔８ａ，８ｂ内にパチンコ玉が入賞したとき、開閉板７が開成し、パチンコ玉が可変入賞球装置６内に入賞しやすい状態になるよう構成されている。」（２頁左下欄９〜２０行）、
（１-b）「入賞球装置３には、特別遊技領域５内へパチンコ玉の進入を許す入口１８が設けられており、その入口１８から進入したパチンコ玉Ｐは、入賞玉振分部材２４によって振分けられ、下方に配置された通過領域の一例である特定通過領域３４及び通常入賞口３６ａ，３６ｂのうちのいずれかに進入する。そしてパチンコ玉Ｐが通常入賞口３６ａ，３６ｂに入賞すれば、景品玉が１３個払出される。また、パチンコ玉Ｐが特定通過領域３４内に進入すれば、通過玉検出器３８によりパチンコ玉Ｐの通過が検出され、その検出出力に基づいて可変表示部材４０の可変表示が停止し、たとえば表示が７となった場合に権利発生状態となる。」（２頁右下欄１７行〜３頁左上欄９行）、と記載されている。
（２）甲第２号証（「パチンコ必勝ガイド　１９９１．５月号（第３巻第６号（通巻第３９号））」１２３〜１２５頁）には、「早速だが盤面の中央をみて欲しい。３ケタの数字はデジパチを彷彿とさせるが、デジタルにゾロ目が出れば大当りという部分まではこれまでのデジパチと何ら違いはない。デジタルを回すための始動チャッカーはこれまたおなじみの「ヘソ」の部分（ＳＴＡＲＴ）で、ここを玉が通過するとデジタルが回転し玉はその下の回転板のくぼみに一時的に貯留される。ハズレ出目の場合はデジタル停止後に回転体が右回転することにより、玉は下のＯＵＴ穴（つまりハズレ）に入る。デジタルに当たり絵柄（１０種類）が表示されれば、回転体は左回転となり玉はＨＩＴ（当り穴）へと吸いこまれ権利発生となる。大当り（権利発生）後は、ストロークを右打ちに切り替え、盤面右下の「ＧＯチャッカー」を狙おう。ここに入賞すると右袖の電動チューリップが９．５秒間または１０個入賞まで開放され出玉を稼ぐ事ができる。」（第１２３頁４段２行〜同頁５段２１行）と記載されている。
（３）甲第３号証（「パチンコ必勝ガイド１９９１．６月号（第３巻第７号（通巻第４０号））」７０〜７３頁）には、パチンコ機「タイム　ショック」及び「バレリ−ナ」に関し次の記載が認められる。
　パチンコ機「タイム　ショック」に関する記載
（３-a）「数字が揃うと権利発生となり、下部のデジタルに１６と残りのアタッカー開放回数が表示される。ストロークをゴム打ちに変えてＯＰＥＮと書いてあるチャッカーに入賞するたびに中央の時計型の役物に玉が１０個入賞するまで、もしくは９．８秒間開く動作を表示が０になるまでくり返し１回の権利は終了だ。２回目の権利も同じようにくり返せば約４０００個の玉が獲得できることになる。」（７０頁３段１０〜１８行）、
（３-b）「タイムショックは天下の赤いプラスチック（ＴＩＭＥＳＨＯＣＫ！と書かれている部分）の穴に入賞すればデジタルが回転を始めるのだが、このときに玉はデジタル下のＧＯと書かれている場所に乗っている。そしてここに乗ることができる玉は１個だけなので、後からきた玉はハジかれて落ちてしまうことになる。」（７０頁４段５〜１２行）、
（３-c）「数字が揃うと時計の針が右方向に回転、玉が右の穴に入ると権利発生だ」（７０頁第４段の左の写真の右）。
（３-d）７０頁３段の右の表には、「初回大当り確率」「１８０分の１」、「２回目大当り確率」「１８分の１」と記載されている。
　パチンコ機「バレリーナ」に関する記載
（３-e）「ヤクモノ＋ランプの２段階振り分けだ
　確率変動機能を備えたデジタル式の振り分けが新要件の権利モノでは全盛のなか、役物とランプの２段階の振り分けを採用して登場してきたのがバレリーナだ。
　玉が役物内に入賞するところは左の肩部分に一カ所あるだけだ。役物内に入賞した玉は６個ある円盤の穴のうちいずれかに入る。このときに赤くＣＨＡＮＣＥと表示してある穴に入って役物内の右側の穴（役物内にチャンスゾーンの表示がある）に落ちればランプが自動販売機のおまけ抽選風の動きをして、「アタリ」（４〜８）で止まれば一回目の権利発生だ。」（７３頁１段１行〜同頁３段１行）。
（４）甲第４号証（「パチンコ攻略マガジン１９９１．６月号（第３巻第８号（通巻第３２号））」１８〜２３頁）には、パチンコ機「ハッピーキャッスル」に関し次の事項が記載されている。
（４-a）「デジタルはドット式で、左→右→中の順に止まる。リーチ後は中デジタルがスロー回転に入り、１４〜２８コマ進んで止まる。１〜９の３つぞろいか、・・・になれば大当り（＝権利発生）だ。」（１８頁下から１段４行〜１９頁１段２行）、
（４-b）「デジパチとの違いを見よう。
マル１デジタルがそろう＝大当り、ではなく、権利穴へ入賞する＝大当り、である。
　乱暴なハナシ、台のガラスを開け、ヘソ下にあるプラスチックの回転体をひっぺがし、ＨＩＴと書かれた権利穴に玉を入れてやると、デジタルとは無関係に権利が発生してしまう。ただし、実際にはどんなゴト師にもやりにくい荒技はおいておくことにしよう。ハッピーキャッスルでは、デジタルがそろえば左のＨＩＴに、そろわなければ右のＯＵＴに、回転体によって１００％玉が運ばれる仕掛けになっている。デジタルがそろう＝権利穴へ入賞する、が成り立つから、これは結局同じこと。
マル２保留ランプがなく、へソに４個までの玉を貯留する。
　保留ランプ代わりの仕掛けだ。ただし、４個のうちいちばん下の１個は、現在デジタルを回している玉だから、ランプ代わりの貯留は３個だ。
マル３権利が発生したら、右打ちをして、出玉を稼ぐ。
　権利発生中は、下段右にあるＧＯチヤツカーに入賞するごとに、ＬＵＣＫＹと書かれたチューリップが、９．５秒か１０個の入球があるまで開き、これが１６回繰り返される。」（１９頁１段〜同頁３段４行）、
（４-c）「天穴下にある始動口に玉が入賞すると、時計を模したデジタルが回る。デジタルが当たるかどうかで、その玉は、やはり時計を模した回転体によって、右側の権利穴か左側のハズレ穴へと運ばれる。」（２１頁４段５〜１１行）、
（４-d）「権利発生中は、下段中央にある「ＯＰＥＮ」と書かれたチャッカーに入賞するたびに開く、役物下部のアタッカーで出玉を稼ぐ。」（２１頁２段１０行〜２２頁１段３行）。
（５）甲第５号証（特開昭６２−１５２４８８号公報）には、「第４図は、入賞玉振分装置２０の分解斜視図である。第４図を参照して、入賞玉振分装置２０の構造について説明をする。
  取付基板６４は、・・・その表面には１対の円盤ガイド棚６６ａ，６６ｂが設けられている。円盤ガイド棚６６ａ，６６ｂ・・・の上端の間隔が特定入賞口５２とされ、その下端の間隙は権利発生入賞孔５４とされている。円盤ガイド棚６６ａ，６６ｂで囲まれた取付基板６４の所定の位置には一般入賞口として利用される入賞口６８が形成されている。円盤ガイド棚６６ａ，６６ｂで囲まれた間には入賞玉振分円盤７０が装着される。入賞玉振分円盤７０・・・の周面には回転中心軸を中心に・・・特別入賞溝７２と、・・・４つの普通入賞溝７４とからなつている。・・・特定入賞口５２からパチンコ玉が入賞し、入賞玉振分円盤７０の普通入賞溝７４で受止められた場合は、受止められたパチンコ玉は入賞口６８へ導かれ、特別入賞口７２で受止められた場合はパチンコ玉は権利発生入賞孔５４へ導かれる。」（４頁左下欄１３行〜５頁左上欄１行）と記載されている。
（６）甲第６号証（特開昭６３−１４５６８７号公報）には、「回転円盤７５には・・・特定入賞領域としての大当り溝８３ａ，８３ｂと、入賞領域が決定されなかった入賞球を収容する収容領域としての収容溝８５ａ，８５ｂ，８５ｃ，８５ｄが形成されている。そして大当たり溝８３ａ，８３ｂに入賞した入賞球は大当り溝８３ａ，８３ｂより入賞球誘導通路９２に導かれ、・・・入賞球検出スイッチ３６によりその入賞状態が検出される。また収容溝８５ａ〜８５ｄに収容された入賞球は回転円盤７５の回転により上方に移動され、上部位置より第２の入賞球誘導樋５９に落下される。」（３頁右下欄１３行〜４頁左上欄４行）と記載されている。
（７）甲第７号証（特開平２−１７２４８２号公報）には、「打ち上げられた球は、方向規制部材７０により方向が規制されて回転体１９の上方に向けて飛んでいき、回転体１９上に落下する。この落下した球の殆どは一般嵌合部５０内に入り、運が良いと特別嵌合部５１内に入る。・・・一般嵌合部５０内に入った球は、回転体１９の回転に伴って回動し、一般入賞出口５７に到達したときに該一般入賞出口５７から落下して一般入賞球として処理される。・・・一方、特別嵌合部５１内に入った球は回転体１９の回転に伴って回動し、特別入賞出口５８まで到達すると該特別入賞出口５８から落下し、この球は球流路の途中で権利発生スイッチ５９に作用する。」（５頁左下欄１３行〜同頁右下欄１３行）と記載されている。
　回答書に添付した資料１（特開昭６３−９２３７１号公報）には、「最初は、可変表示器２２０のうちの左端の表示器の表示が「７」を表示しているタイミングで特定入賞孔２１４へパチンコ玉が入賞したことにより権利が発生したり消滅したりするが、次に権利発生に関与するのは、可変表示器２２０のうち、中央の表示器で、この表示器が「３」「７」のいずれかの表示のときに特定入賞孔２１４へパチンコ玉が入った場合に権利が発生しまたは消滅する。さらに、その次は、権利発生に関与する可変表示器２２０の表示器は右端の表示器に写り、右端の表示器では「３」「５」「７」のいずれかの表示のときに、特定入賞孔２１４へパチンコ玉が入賞することにより権利が発生しまたは消滅する。
　言い換えれば、・・・左側から右側の表示器へと移るに従って権利発生に関与する数字の数が増えるため、次第に権利が発生しやすくまたは発生した権利が消滅しやすくなる」（９頁右上欄１行〜同頁左下欄４行）と記載されている。
　
３-4．対比・判断
　本件発明と甲第１ないし７号証記載の発明とを対比すると、甲第１ないし７号証には、本件発明の構成要件である「予め定められた複数種の停止表示確率のいずれかで停止表示される前記特定識別情報が前記可変表示装置に停止表示されたとき、前記確率の中から最小の確率が選択される前記権利を、発生させる特別装置作動領域」の構成を備えていない。
　すなわち、甲第１号証には、特別入賞装置（甲第１号証記載の発明の「入賞球装置３」が対応している。以下、括弧内に甲第１号証記載の発明の構成要件を記す。）内の第１特定領域（特定通過領域３４）をパチンコ球が通過したことにより識別情報の変動表示が停止する可変表示装置（可変表示部材４０）を設け、前記識別情報の中の特定識別情報が停止表示された時に発生する権利発生遊技状態中に、パチンコ球が第２特定領域（始動入賞孔８ａ，８ｂ）を通過したことに基づいて可変入賞装置（可変入賞球装置６）を遊技者に不利な第２の状態から遊技者に有利な第１の状態にするパチンコ機において、前記特別入賞装置内に当り孔（特定通過領域３４）と外れ孔（通常入賞口３６ａ，３６ｂ）を備えたパチンコ遊技機が記載されているが、権利が発生する確率を変更するよう構成することについては記載されていない。
　甲第３及び４号証には、パチンコ機「タイム　ショック」の説明として、始動チャッカーを通過したパチンコ球が、識別情報が可変表示装置に停止表示されるまで所定の位置に保持され、予め定められた特定識別情報が前記可変表示装置に停止表示されたとき、権利を発生させる特別装置作動領域に誘導することが記載され、また、初回の大当り確率が１８０分の１であり、２回目大当り確率が１８分の１であること、すなわち、権利が発生する確率が変更することは記載されているが、特定識別情報が可変表示装置に停止表示されたとき、最小の確率が選択される権利を発生させることは記載されていない。
　さらに、甲第３号証には、パチンコ機「バレリーナ」の説明として、特別入賞装置内に当り孔と外れ孔を備えた円盤を設けた構成が記載され、甲第５〜７号証には、当たり孔と外れ孔を備えた円盤が記載されている。
　結局、甲第１〜７号証には、特定識別情報が可変表示装置に停止表示されたとき、最小の確率が選択される権利を発生させることは記載されていない。
　異議申立人は、資料１（特開昭６３−９２３７１号公報）、資料２（特開昭６３−６５８８４号公報）及び資料３（特開昭６３−１１１８４号公報）を提出し、本件発明の「予め定められた複数種の停止表示確率のいずれかで停止表示される前記特定識別情報が前記可変表示装置に停止表示されたとき、前記確率の中から最小の確率が選択される前記権利を、発生させる特別装置作動領域に誘導される」構成は、前記資料に記載されている旨主張する。
　しかしながら、資料１ないし３には、左側から右側の表示器へと移るに従って権利発生に関与する数字の数が増えるため、次第に権利が発生しやすくまたは発生した権利が消滅しやすくなることは記載されている、すなわち、権利が発生あるいは権利が消滅するための確率を変更することは記載されているが、権利発生時に権利が消滅する確率を低くすることは記載されていない。
　そして、上記相違点を備える本件発明は、「権利をすべて行使する以前に、権利が消滅することをを抑止できることから、遊技者には権利確保に係る安心感と単位時間当たり得られる通常時よりも多量な賞品球への期待感とを付与することによって遊技意欲を向上させることができる。」という明細書記載の効果を奏するものである。
　したがって、本件発明が、甲第１ないし７号証及び参考資料１ないし３に記載された発明に基づいて当業者が容易に発明をすることができたものとは認められない。
　
３-5．むすび　
　以上のとおりであるから、特許異議の申立ての理由及び証拠方法によっては、本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年６月２４日（２００４．６．２４）
【訂正の要旨】
審決（決定）の【理由】欄参照。
（５４）【発明の名称】
パチンコ機
（５７）【特許請求の範囲】
　【請求項１】
特別入賞装置内の第１特定領域をパチンコ球が通過したことにより、
複数の識別情報を所定時間変動表示させた後、前記識別情報の中からいずれかを停止表示する
可変
前記特別入賞装置内に当り孔と外れ孔を備えた円盤を設け、
前記当り孔に入賞し、前記第１特定領域へ誘導され、該領域を通過したパチンコ球は、前記複数の識別情報の中からいずれかの識別情報が
前記
予め定められた複数種の停止表示確率のいずれかで停止表示される
た
前記確率の中から最小の確率が選択される
を、発
【発明の詳細な説明】
　【０００１】
　【発明の属する技術分野】
　本発明は、予め定められた条件が満足されたときに遊技者に有利な権利を確保し、権利確保中に他の条件が満足されたときに上記権利を行使するようにしたパチンコ機の改良に関するものである。
　【０００２】
　【従来の技術】パチンコ機では、遊技者の技量によって遊技中の入賞条件が変わり、遊技者にとって有利な権利（以下、権利という）を発生させることが、遊技者の遊技意欲を増大させる一つの要件となっている。
　【０００３】
　たとえばパチンコ機の遊技盤に通常の入賞口と、この通常の入賞口とは異なる第１特定領域と、この第１特定領域とは異なる第２特定領域と、パチンコ球が入賞し易い第１の状態および入賞しない第２の状態に変化可能な可変入賞球装置と、複数種の識別情報を所定時間変動表示し該変動表示終了に基いて識別情報のいずれかを停止表示する可変表示装置とを遊技盤に設け、さらに後述する特別装置を設けたものがある。
　【０００４】
　なお可変入賞球装置はソレノイドなどからなる駆動手段によって、第１の状態または第２の状態に駆動制御される。また第１特定領域および第２特定領域は、一般に入賞口からなるものが多く、この場合、入賞後のパチンコ球は回収されるのであるが、第１特定領域または第２特定領域を通過したのちに再度遊技盤に戻るように構成されたものもある。
　【０００５】
　遊技時においてパチンコ球が第１特定領域に入賞（または通過）したとき、この入賞を近接センサなどによって検出し、この検出に基いて可変表示装置は上記変動表示を開始する。この変動表示から予め定められた時間が経過すると、可変表示装置は変動表示から停止表示に移行する。このとき可変表示装置に停止表示されている識別情報が、たとえば比較回路などによって予め定められた特定識別情報であることが検出された場合、この検出に基いて特別装置は起動される。
　【０００６】
　特別装置は作動時に権利を発生させ、権利発生中すなわち特別装置の作動中に第２特定領域に通過するパチンコ球が近接センサなどによって検出されると、駆動手段は第２の状態にある可変入賞球装置を第１の状態に駆動制御する。これにより権利が行使されて、パチンコ球は可変入賞球装置に入賞し易くなり、権利を行使できるので、単位時間当りの賞球数を増大させることができるのである。
　【０００７】
　権利発生中に特定識別情報が可変表示装置に停止表示され、この旨が検出された場合、特別装置は作動を停止して発生させている権利を消滅させる。
　【０００８】
　ところで可変表示装置に停止表示される特定識別情報は、予め定められた手順に基いて識別情報の中から選択され、可変表示装置には識別情報のいずれかを選択するための識別情報表示制御手段が接続されている。このような識別情報表示制御手段には、特定識別情報を識別情報の中から選択する確率を複数種設け、同確率を権利発生前よりも権利発生後に大きく設けたものがある。
　【０００９】
　このような識別情報表示制御手段を設けた機種では、一旦権利が発生すると、特定識別情報が識別情報の中から選択される確率が増大することから、可変表示装置に特定識別情報が停止表示され易くなるので、権利を行使したのちにも次回の権利が発生し易くなるので、遊技者の興趣は高められることになる。
　【００１０】
　【発明が解決しようとする課題】
　ところが上記構成のパチンコ機では一旦権利が発生すると次回の権利が発生し易くなるものの、権利発生中における第１特定領域への入賞検出に基いて特定識別情報が識別情報の中から選択されると、特別装置は作動を停止させる。このことから発生中の権利は消滅し、権利をすべて行使する以前に権利が消滅するので、遊技意欲を減退させ易いという問題を招く。
　【００１１】
　そこで本発明は、権利をすべて行使する以前に権利が消滅することを抑止したパチンコ機の提供を目的としている。
　【００１２】
　【課題を解決するための手段】
　上記目的を達成するために、請求項１のパチンコ機係る発明は、特別入賞装置内の第１特定領域をパチンコ球が通過したことにより、複数の識別情報を所定時間変動表示させた後、前記識別情報の中からいずれかを停止表示する
可変
前記
予め定められた複数種の停止表示確率のいずれかで停止表示される
た
前記確率の中から最小の確率が選択される
を、発
　【００１３】
　削除
　【００１４】
　上記構成により、確率調節手段は前記特別装置の作動時において、特定識別情報が前記識別情報表示制御手段によって複数種の識別情報の中から選択される確率を最小にするので、前記特別装置の作動時に可変表示装置が特定識別情報を停止表示する可能性は減少する。
　【００１５】
　【発明の実施の形態】
　以下本発明の実施例を図面に基いて説明する。図１は本発明の要部構成を示し、図２に仮想線で示したパチンコ機１に設けられている。パチンコ機１の遊技盤２には通常の入賞口３、可変入賞球装置４、入賞口を構成する第２特定領域５および特別入賞装置６が設けられている。この特別入賞装置６には詳細は後述するが、図３に破線で示した第１特定領域７が設けられている。
　【００１６】
　可変入賞球装置４には一対の開閉羽根８，８が設けられ、開閉羽根８，８は基端部を中心として回動自在に設けられ、開閉羽根８の基端には図５に示すようにクランク９の一端が係合している。クランク９の他端は、ソレノイドからなる駆動手段としての大入賞口ソレノイド１０のプランジャ１１に一端が取り付けられたリンク１２の他端に取り付けられている。
　【００１７】
　これにより大入賞口ソレノイド１０の励磁時おいてはプランジャ１１を図５中、下方に吸引するので、可変入賞球装置４はパチンコ球が入賞し易い第１の状態を形成する。この状態から大入賞口ソレノイド１０が解磁されると、プランジャ１１はスプリング１３によって図５中、上方に戻されるので、可変入賞球装置４は図４の破線および図５で示すパチンコ球が入賞しない第２の状態を形成する。１４は１０カウントスイッチで、１０カウントスイッチ１４は第１の状態にある可変入賞球装置４に入賞するパチンコ球を検出するためのもので、１０カウントスイッチ１４は大入賞口ソレノイド１０を制御するための図１に示した駆動制御手段（後述）１５に接続されている。また１６は大入賞口ソレノイド１０を取り付けるための取付板、１７はベース板である。
　【００１８】
　図２および図３に戻り、特別入賞装置６の正面下方には可変表示装置としての識別情報表示装置１８が設けられている。また第１特定領域７には近接センサからなる図柄作動スイッチ１９が設けられ、第１特定領域７を通過したパチンコ球が図柄作動スイッチ１９によって検出されたとき、識別情報表示装置１８はこの検出に基いて予め定められた複数種の識別情報を所定時間変動表示させ、この時間が経過したとき、識別情報のいずれかを停止表示する（後述）。
　【００１９】
　識別情報表示装置１８は図２および図６に示すように、横方向に配列された複数（本実施例では８個）のＬＥＤから構成されている。上記変動表示とは、識別情報表示装置１８のいずれかを所定時間点灯した後に消灯し、これと同時に隣接された識別情報表示装置１８のいずれかを所定時間点灯した後に消灯することを順次繰り返すことで、識別情報表示装置１８のいずれかを図２中、左側から右側に順次点灯することである。他方、停止表示とはいずれかの識別情報表示装置１８を点灯表示することである。
　【００２０】
　変動表示から停止表示に移行する際には、変動表示時において最後に点灯された識別情報表示装置１８の右隣に位置する識別情報表示装置１８が点灯される。なお変動表示時に最後に点灯された識別情報表示装置１８が右端に位置する場合、左端に位置する識別情報表示装置１８が点灯される。さらに各識別情報表示装置１８の直下には、図示を省略しているが「当たり」または「外れ」に相当する表示がなされ、これらの「当たり」または「外れ」に係る表示は各識別情報表示装置１８の各々に対応して設けられている。
　【００２１】
　特別入賞装置６は上部に特別入賞口２０を設け、パチンコ球は図２および図６中、左方からのみ特別入賞装置６に入賞する。そして特別入賞装置６入賞した全てのパチンコ球に対しては所定数の賞品球が払出される。２１は特別入賞装置６に形成された入賞空間部で、入賞空間部２１と特別入賞口２０とは特別入賞装置６の奥方に形成された誘導路２２によって連通される。また特別入賞口２０の直上部には天入賞口２３が形成され天入賞口２３への入賞球に対しては、入賞口３への入賞球に対応する賞品球数と同じ払出数の賞品球が払出される。
　【００２２】
　図３に戻り入賞空間部２１の底部２５には円盤２６が回転自在に設けられ、円盤２６の中心には回転軸２７の下端が固定されている。回転軸２７は入賞空間部２１の底部から特別入賞装置６の上壁を貫通し、上端に傘歯車２８を取り付けている。２９は傘歯車２８に係合する傘歯車で、傘歯車２９にはモータ３０の回転軸が固定されている。モータ３０はパチンコ機１への電源供給時には常時動作しており、この動作により傘歯車２９は傘歯車２８を駆動することにより回転軸２７を介して円盤２６を一定速度で回転させる。
　【００２３】
　円盤２６には当り孔３１と外れ孔３２とが、図８に示すように回転軸２７を中心として対称に穿設されており、当り孔３１は外れ孔３２よりも回転軸２７寄りに配置されている。本実施例では、当り孔３１が２箇所に設けられ、各当り孔３１，３１の両側にはそれぞれ外れ孔３２が合計４箇所に設けられている。
　【００２４】
　各孔３１，３２は回転軸２７を中心に３０度毎にリブ３３で扇形状に仕切られている。また当り孔３１を含む扇形の外縁部にはリブ３３が延設され、延設されたリブ３３にはパチンコ球が挿通可能な切欠３４が設けられている。なお本実施例では切欠３４の幅は１２．５ｍｍに、パチンコ球径は１１．０ｍｍに定められている。
　【００２５】
　入賞空間部２１の底部２５には図９に示すように、誘導孔３５および誘導長孔３６が穿設され、誘導孔３５は当り孔３１に対応させて配置される一方、誘導長孔３６は当り孔３１および外れ孔３２の両方に対応させて配置されている。また底部２５の円盤２６外周には図８および図９に示すように、いわゆるクルーン３７が設けられている。なお円盤２６は本実施例において図８中、反時計方向に回転するものとする。
　【００２６】
　クルーン３７の内縁は円盤２６の外周縁より上位または同一の高さになるように形成され、さらにクルーン３７から円盤２６の中心にかけて下位になるように傾斜させている。これにより特別入賞装置６に入賞したパチンコ球は入賞空間部２１からクルーン３７を経て、円盤２６のリブ３３で仕切られたいずれかの部位に流下したのち、当り孔３１または外れ孔３２に入賞する。
　【００２７】
　この当り孔３１または外れ孔３２への入賞球は上述した円盤２６の回転によって、当り孔３１が誘導孔３５および誘導長孔３６に対応する位置に到達するまで、または外れ孔３２が誘導長孔３６に対応する位置に到達するまで、当り孔３１および外れ孔３２のいずれかと底部２５とによって保持される。
　【００２８】
　そして当り孔３１に入賞して誘導孔３５に誘導されたパチンコ球のみが第１特定領域７を通過する一方、当り孔３１に入賞したにもかかわらず誘導長孔３６に入賞したパチンコ球と、外れ孔３２に入賞したパチンコ球とは第１特定領域７を通過することがない。以下、パチンコ球が第１特定領域７を通過することを、第１特定領域７に入賞するということにする。
　【００２９】
　図１において、３９は識別情報表示制御手段で、識別情報表示制御手段３９は識別情報表示装置１８を制御するためのものである。第１特定領域７への入賞球の検出信号が図柄作動スイッチ１９から入力され、この検出信号は識別情報表示制御手段３９に入力され、これに基いて識別情報表示制御手段３９はいずれかの識別情報を選択する。そして識別情報表示制御手段３９は識別情報を識別情報表示装置１８に所定時間変動表示させた後、選択された識別情報を識別情報表示装置１８に停止表示する。
　【００３０】
　識別情報表示装置１８に停止表示される識別情報のうち、上記「当たり」に相当する識別情報を以下、特定識別情報ということにする。詳細は後述するが、特定識別情報は識別情報表示制御手段３９によって予め定められた手順に基いて、所定確率で選択され、この確率は予め定められた条件に応じて変動する。識別情報表示装置１８には表示図柄判定回路４０が接続され、表示図柄判定回路４０は識別情報表示装置１８に停止表示された識別情報の種別を判定する。表示図柄判定回路４０には図示を省略したメモリが設けられ、このメモリには特定識別情報が格納されている。
　【００３１】
　図７の４１は振分装置で、振分装置４１は特別入賞装置６の下方左側に配置されている。振分装置４１は表示図柄判定回路４０によって制御されるもので、識別情報表示装置１８に停止表示される識別情報に応じて第１特定領域７への入賞球を振分ける。
　【００３２】
　振分装置４１は図１０に示すようにモータ４２、カム４３およびリンク棒４４を主構成とする。モータ４２の回転軸にはカム４３が偏心して取り付けられ、カム４３にはリンク棒４４の一端が回動自在に取り付けられている。このリンク棒４４の他端は、基端が図柄作動スイッチ１９の直下に回動自在に支持された回動支軸４５の先端に回動自在に支持されている。モータ４２は通常時において、リンク棒４４が図１０に示す最高位に位置するようにカム４３を配置し、これをモータ４２の原位置に定めている。
　【００３３】
　４６はモータ位置検出スイッチで、モータ位置検出スイッチ４６はモータ４２が原位置にあるか否かを検出するもので、その検出信号は表示図柄判定回路４０に入力される。モータ４２が原位置にある場合において、第１特定領域７を通過したパチンコ球は図柄作動スイッチ１９によって検出され、かつ、図柄作動スイッチ１９およびリンク棒４４の他端により図１０で示した状態に保持される。
　【００３４】
　そして識別情報表示装置１８に停止表示される識別情報が表示図柄判定回路４０によって特定識別情報でないと判定された場合、表示図柄判定回路４０は原位置にあるモータ４２を図１０中、逆方向（反時計方向）に回動させることによって、図柄作動スイッチ１９およびリンク棒４４の他端で保持されたパチンコ球を第１特定領域７から図１１中、右側に誘導する。
　【００３５】
　これに対して識別情報表示装置１８に停止表示された識別情報が表示図柄判定回路４０によって特定識別情報であると判定された場合、表示図柄判定回路４０は原位置にあるモータ４２を図１０および図１２中、正方向（時計方向）に回動させる。これにより図柄作動スイッチ１９およびリンク棒４４の他端で保持されたパチンコ球が第１特定領域７から図１３および図１０中、左側の特別装置作動領域４７に流下される。特別装置作動領域４７に誘導されたパチンコ球は特別装置スイッチ４８によって検出されると同時に特別装置４９は作動状態になり、権利が発生する。この検出信号は後述する確率調節手段３８に入力されるので、確率調節手段３８は特別装置４９の作動状態を検出できる。
　【００３６】
　なお権利発生中すなわち特別装置４９の作動中、識別情報表示装置１８に停止表示された識別情報が表示図柄判定回路４０によって特定識別情報であると判定された場合、上記同様に図柄作動スイッチ１９およびリンク棒４４の他端で保持されたパチンコ球が第１特定領域７から図１３および図１０中、左側の特別装置作動領域４７に流下され、このパチンコ球は特別装置スイッチ４８によって検出されると同時に、特別装置４９は作動を停止して発生中の権利を消滅させる。
　【００３７】
　パチンコ機２はＣＰＵ、ＲＯＭおよびＲＡＭを主構成とする制御回路（図１参照）によって制御され、ＲＯＭに格納されたプログラムを順次実行する。このプログラムは１サイクルが４ｍ秒間未満で処理されるように設計され、４ｍ秒間毎にＣＰＵにはリセット信号が入力される。そして１サイクルのプログラムの実行終了後、リセット信号が入力すなわちプログラムの実行開始から４ｍ秒間が経過するまで、プログラムの最終ステップであるところの図示を省略した後述するカウンタの乱数加算演算に係る命令をループする。
　【００３８】
　識別情報表示装置１８に停止表示される識別情報は以下に示すタイミングで決定される。図柄作動スイッチ１９は第１特定領域７に入賞したパチンコ球を検出すると、この入賞球の検出信号が識別情報表示制御手段３９に入力される。これと同時に識別情報表示制御手段３９は識別情報を識別情報表示装置１８に変動表示させ、所定時間（たとえば５秒間程度）経過ののちに識別情報のいずれかを停止表示する。
　【００３９】
　識別情報表示制御手段３９は識別情報表示装置１８に停止表示される識別情報を選択または決定するために、上記カウンタを合計３系統設けている。そして第１ないし第３の各カウンタは、パチンコ機１の電源投入時から上記制御回路のリセット毎いいかえれば４ｍ秒間経過毎に「１」を各々乱数として加算するもので、第１のカウンタは「０」ないし「７９」まで、第２のカウンタは「０」ないし「４」まで、さらに第３のカウンタは「０」ないし「２」までを各々加算演算し、こののち「０」に戻ってリセットされる毎に「１」を加算する。
　【００４０】
　これらのうち、第１のカウンタは識別情報表示装置１８に停止表示される識別情報が特定識別情報いいかえれば権利を発生させるか否かを、第２のカウンタは「当たり」に相当する特定識別情報の種別を、また第３のカウンタは「外れ」に相当する識別情報の種別をそれぞれ選択するためのものである。本実施例では図６中、右側５箇の識別情報表示装置１８を特定識別情報に定め、第２のカウンタから得られる「０」ないし「４」の５種の乱数値に識別情報表示装置１８を左側（最左端から４番目）から順次対応させている。他方、左側３箇の識別情報表示装置１８は特定識別情報でない識別情報に定めており、第３のカウンタから得られる「０」ないし「２」の３種の乱数値に識別情報表示装置１８を左側から順次対応させている。
　【００４１】
　上記第１のカウンタは第１特定領域７を通過したパチンコ球を図柄作動スイッチ１９によって検出した時点で（図１４ア参照）、その乱数値Ｎ１が「０」ないし「１６」の場合である場合、特定識別情報を識別情報表示装置１８に停止表示することが決定される。そして識別情報表示装置１８に停止表示される特定識別情報の種別は、第２のカウンタの乱数値Ｎ２に依存する。
　【００４２】
　他方、第１のカウンタは、カウンタの乱数値Ｎ１が図１４アの時点で「１７」ないし「７９」である場合、識別情報表示装置１８に特定識別情報でない識別情報を停止表示することが決定され、その識別情報は第３のカウンタの乱数値Ｎ３に依存する。
　【００４３】
　なお本実施例において便宜上、図１５Ａに示すように電源投入時から第１回目の権利の発生までを、権利モード「０」、図１５Ｂおよび図１５Ｆに示すように第１回目の権利の発生から第１回目の権利の行使（後述）終了までを、権利モード「１」、図１５Ｃおよび図１５Ｇに示すように第１回目の権利の行使終了から第２回目の権利の発生までを、権利モード「２」、そして図１５Ｄおよび図１５Ｈに示すように第２回目の権利の発生から第２回目の権利の行使終了までを、権利モード「３」定め、図１５Ｅおよび図１５Ｉに示すように権利モード「３」以降は権利モード「０」ないし権利モード「３」を繰り返すものとする。
　【００４４】
　確率調節手段３８は識別情報表示制御手段３９に接続され、特定識別情報が選択される確率を調節するための当たり確率制御信号を権利モード「２」のときのみ、識別情報表示制御手段３９および高確率状態表示灯５０に入力する。このとき高確率状態表示灯５０は権利モード「２」である旨を点灯または点滅によって表示する。
　【００４５】
　当たり確率制御信号が識別情報表示制御手段３９に入力されているとき、識別情報表示制御手段３９は、上記第１のカウンタから得られた乱数値Ｎ１にかかわらず、特定識別情報が選択されることを決定する。これにより当たり確率制御信号が発生している場合、特定識別情報が識別情報表示制御手段３９によって選択される確率は、権利モード「２」のときのみ「八十分の八十」になる。
　【００４６】
　他方、当たり確率制御信号が識別情報表示制御手段３９に入力されていないとき、識別情報表示制御手段３９は上述したように乱数値Ｎ１が「０」ないし「１６」の場合である場合のみ、特定識別情報を選択されることに決定される。これにより特定識別情報が識別情報表示制御手段３９によって選択される確率は「八十分の十七」になる。
　【００４７】
　したがって特定識別情報が識別情報表示制御手段３９によって選択される確率いいかえれば権利の発生確率は２種類あり、権利モード「０」、権利モード「１」および権利モード「３」における権利の発生確率値は、権利モード「２」における権利の発生確率値よりも小さい。
　【００４８】
　特別装置４９の作動によって権利が発生すなわち権利モード「１」および権利モード「３」のときのみ、特別装置作動表示灯５１が作動し、その旨を点灯または点滅によって表示する。
　【００４９】
　第２特定領域５には図１および図７に示すように近接センサからなる第３種始動口スイッチ５２が設けられている。特別装置４９の作動時に第２特定領域５にパチンコ球が入賞すると、第３種始動口スイッチ５２は入賞球の検出信号を駆動制御手段１５および特別装置４９に入力する。これに基いて駆動制御手段１５は第３種始動口スイッチ５２からの検出信号がある場合、図２および図４に示すように、大入賞口ソレノイド１０を所定時間（本実施例では１０秒間）励磁することによって、可変入賞球装置４を第２の状態から第１の状態に移行させる。
　【００５０】
　このとき駆動制御手段１５は、１０カウントスイッチ１４によって可変入賞球装置４に１０球の入賞球をカウントするか、可変入賞球装置４が第２の状態から第１の状態に移行してから１０秒間経過するまでのいずれかが達成されるまで第１の状態を保持する。いずれかが達成されたとき、駆動制御手段１５は可変入賞球装置４を第１の状態から、図４破線に示すように第２の状態に移行させ、権利は１回行使されたことになる。可変入賞球装置４への入賞球数は図１の１０カウント表示灯５３に点灯表示される。また図２、図３および図６に示した５５は、装飾部材である。
　【００５１】
　作動中の特別装置４９は、第３種始動口スイッチ５２の検出回数が１６回に達するか、上述したようにふたたび特別装置スイッチ４８によって特別装置作動領域４７におけるパチンコ球が検出されることにより、作動を停止させる。なお可変入賞球装置４への入賞球数は１０カウント表示灯５３に点灯表示される。
　【００５２】
　さらにまた本実施例では識別情報表示装置１８を複数のＬＥＤによって構成するとともにＬＥＤいずれかを点灯表示し、この点灯表示に対応する識別情報が特定識別情報に相当する否かを決定する場合を説明したが、これに限定されるものではない。たとえば識別情報を複数桁の図柄および数字などで構成し、これらをドットマトリクスのＬＥＤまたはＬＣＤなどからなる識別情報表示装置１８で表示するようにしてもよい。
　【００５３】
　つぎに上記構成のパチンコ機１の使用手順を図１６ないし図２３に基いて、以下に説明する。まず図１６に示すようにＳ１では、電源が初期投入されたか否かが判定され、初期投入であると判定されると、Ｓ２へ進んで上記ＲＡＭの内容を全てクリアする。ついでＳ３では、各種初期設定として図１５Ａに示すように権利モード「０」をセットしたのちに、Ｓ４３にジャンプする。
　【００５４】
　他方Ｓ１において電源が初期投入されていないと判定されると、Ｓ４へ進み、遊技盤２上に設けられた各スイッチの短絡・断線等に係るハードチェックを行う。つぎにＳ５で、上記Ｓ４におけるハードチェックが正常でなければ、Ｓ３７でエラーモード「１」がセットされたのち、Ｓ３８で表示灯の処理が施される。他方スイッチのハードチェックが正常ならばＳ６へ進み、エラーモード「１」のセット有無が判定される。
　【００５５】
　Ｓ６においてエラーモード「１」がセットされている場合にはＳ７へ進んでエラーモード「１」をクリアしてからＳ８へ進み、そうでない場合にはＳ６からＳ８にジャンプする。Ｓ８では、特別装置スイッチ４８がＯＮされたか否かを判定し、ＯＮされている場合は（図１４イ参照）、Ｓ９へ進んで権利発生に係る処理が施される一方、特別装置スイッチ４８ＯＮされていない場合にはＳ１０にジャンプする。
　【００５６】
　上記Ｓ９では図１７に示す処理が順次実行される。まずＳ９ー１において、権利モード「０」のセット有無が判定され、セットされている場合はＳ９ー２へ進み、権利フラグがセットされる。このことにより特別装置４９が作動されたのち（図１４ウおよび図１５Ｆ参照）、Ｓ９ー３では権利モード「０」をクリアして、Ｓ９ー４で権利モード「１」を新たにセットする（図１５Ｂ参照）。
　【００５７】
　このとき確率調節手段３８は当たり確率制御信号を発生させていないので、識別情報表示装置１８が特定識別情報を停止表示する可能性は、権利モード「２」の場合と比較してきわめて小さくなる。これにより権利発生中にすべての権利を行使する以前に、権利が消滅する可能性を権利モード「２」の場合と比較してきわめて小さくすることができる。しかるのち図１６のｓ１０にジャンプする。
　【００５８】
　上記Ｓ９ー１において権利モード「０」がセットされていないと判定されると、Ｓ９ー５へ進んで権利モード「１」のセット有無が判定される。権利モード「１」がセットされている場合は、Ｓ９ー６へ進み権利フラグをクリアして特別装置４９の作動を停止させ（図１５Ｇ参照）、Ｓ９ー７およびＳ９ー８で権利モード「１」を「２」に更新セットする（図１５Ｃ参照）。
　【００５９】
　これにより確率調節手段３８は当たり確率制御信号を発生させるので、識別情報表示装置１８は第１特定領域７への入賞時には必ず特定識別情報を停止表示することになり、権利が発生する可能性は権利モード「０」、「１」および「３」の場合と比較してきわめて大きくなる。しかるのち図１６のｓ１０にジャンプする。
　【００６０】
　Ｓ９ー５において権利モード「１」がセットされていないと判定されると、Ｓ９ー９へジャンプし、権利モード「２」のセット有無が判定される。ここで権利モード「２」がセットされていると判定されると、Ｓ９ー１０へ進み、権利フラグをセットすることにより特別装置４９を作動させる（図１５Ｈ参照）。ついでＳ９ー１１およびＳ９ー１２で権利モード「２」を「３」に更新セットする（図１５Ｄ参照）。
　【００６１】
　このとき確率調節手段３８は当たり確率制御信号を発生させていないので、識別情報表示装置１８が特定識別情報を停止表示する可能性は、権利モード「２」の場合と比較してきわめて小さくなる。これにより権利発生中にすべての権利を行使する以前に、権利が消滅する可能性を権利モード「２」の場合と比較してきわめて小さくすることができる。しかるのち図１６のｓ１０にジャンプする。
　【００６２】
　Ｓ９ー９において権利モード「２」がセットされていないと判定されると、Ｓ９ー１３へ進み、権利モード「３」のセット有無が判定され、権利モード「３」がセットされている場合、Ｓ９ー１４へ進み、権利フラグがクリアされることにより特別装置４９の作動が停止される（図１５Ｉ参照）。そしてＳ９ー１５では権利モード「３」をクリアして、Ｓ９ー１６で権利モード「０」を新たにセットしたのち（図１５Ｅ参照）、図１６のｓ１０にジャンプする。
　【００６３】
　図１６に戻り、Ｓ１０では図柄作動スイッチ１９がＯＮされたか否かを判定し、図柄作動スイッチ１９が図１４アに示すようにＯＮされたと判定された場合、Ｓ１１において識別情報の変動・停止表示に係る処理が施される。またＳ１０で図柄作動スイッチ１９がＯＮされていないと判定された場合、Ｓ１２にジャンプする。
　【００６４】
　Ｓ１１では図１８および図１９に示す処理が実行される。まず図１８のＳ１１ー１では、識別情報が変動表示されるための図柄作動モードのセット有無が判定され、セットされていれば、後述する図１９のＳ１１ー１５にジャンプする一方、そうでなければＳ１１ー２で図柄停止モードのセット有無が判定される。そして図柄停止モードがセットされていないと判定された場合、Ｓ１１ー３において図１４エに示すように図柄作動モードをセットするとともに、Ｓ１１ー４では図示を省略した図柄停止タイマに「１．６秒間」をセットしたのち、Ｓ１１ー５において識別情報の変動表示が開始される（図１４オ参照）。
　【００６５】
　図１９の上記Ｓ１１ー１５においては、図柄停止タイマの減算処理が行われ、Ｓ１１ー１６で減算処理された図柄停止タイマが「０」であるか否かを判定し、「０」でなければ図１６のＳ１２にジャンプする一方、「０」であればＳ１１ー１７において上記第１のカウンタの乱数値Ｎ１をロードする（図１４カ参照）。
　【００６６】
　そしてＳ１１ー１８では権利モード「２」のセット有無が判定され、権利モード「２」がセットされていると判定されると、Ｓ１１ー２０にジャンプする一方、そうでない場合にはＳ１１ー１９において第１のカウンタの乱数値Ｎ１が「１６」以下であるか否かが判定される。上記Ｓ１１ー１９において乱数値Ｎ１が「１６」以下である場合には、Ｓ１１ー２０で第２のカウンタの乱数値Ｎ２がロードされたのち（図１４カ参照）、この乱数値Ｎ２に相当する特定識別情報および停止表示位置がセットされる（Ｓ１１ー２１）。
　【００６７】
　他方Ｓ１１ー１９において乱数値Ｎ１が「１６」を越えている場合には、Ｓ１１ー２２で第３のカウンタの乱数値Ｎ３がロードされたのち、この乱数値Ｎ３に相当する特定識別情報ではない識別情報および停止表示位置がセットされる（Ｓ１１ー２３）。こののちＳ１１ー２４では図１４キに示すように図柄停止モードがセットされたのちに、Ｓ１１ー２５では図柄作動モードがクリアされ、図１６のＳ１２にジャンプする。
　【００６８】
　図１８に戻り、Ｓ１１ー２で図柄停止モードがセットされていると判定された場合、Ｓ１１ー６において識別情報（「当たり」・「外れ」）およびその識別情報の停止位置が一致しているか否かを判定し、一致していない場合にはる場合には図１６のＳ１２にジャンプする一方、一致している場合、Ｓ１１ー７において識別情報表示装置１８に変動表示されている識別情報が停止表示される。
　【００６９】
　つぎにＳ１１ー８で表示図柄判定回路４０は図１４ケに示すように、上記１１ー７で停止表示された識別情報が特定識別情報であるか否かを判定し、特定識別情報である場合に表示図柄判定回路４０はカム４３を図１０中、正方向に回動させるようにモータ４２の回転軸方向をセットする（Ｓ１１ー９〜図１４コ参照）。他方Ｓ１１ー８で特定識別情報でないと判定された場合、表示図柄判定回路４０はＳ１１ー１０でカム４３を図１０中、逆方向に回動させるようにモータ４２の回転軸方向をセットしたのちに、Ｓ１１ー１１にジャンプする。
　【００７０】
　Ｓ１１ー１１ではモータ４２の駆動モードがセットされたのち（図１４サ参照）、Ｓ１１ー１２では図示を省略したモータ駆動タイマに０．３５秒間がセットされる。しかるのち表示図柄判定回路４０はＳ１１ー１３においてモータ４２を駆動し、Ｓ１１ー１４では図柄停止モードがクリアされると、図１６のＳ１２にジャンプしてモータの駆動に係る処理が実行される。
　【００７１】
　このＳ１２における処理の詳細は図２０に示されている。まずＳ１２ー１においてモータ４２の駆動モードのセット有無が判定され、セットされていないと判定された場合には後述するＳ１２ー８にジャンプする一方、そうでない場合にはＳ１２ー２において上記モータ駆動タイマがタイムアップすなわち「０」であるか否かを判定する。そして上記モータ駆動タイマがタイムアップしていると判定された場合、Ｓ１２ー３において表示図柄判定回路４０はモータ４２の作動を停止させたのち（図１４シ参照）、Ｓ１２ー４において図示を省略したモータ駆動停止タイマに０．０５秒間がセットされる。ついでＳ１２ー５ではモータ４２の停止モードがセットされ（図１４ス参照）、Ｓ１２ー６でモータ４２の駆動モードがクリアされる。
　【００７２】
　他方、上記Ｓ１２ー２において上記モータ駆動タイマがタイムアップしていないと判定された場合、Ｓ１２ー７で上記モータ駆動タイマは減算されたのちにＳ１２ー８が実行される。Ｓ１２ー８においてモータ４２の停止モードがセットされているか否かを判定し、同モードがセットされていない場合には図２１のＳ１３にジャンプする一方、同モードがセットされている場合にはＳ１２ー９で上記モータ駆動停止タイマがタイムアップしているか否かを判定する。
　【００７３】
　そして上記Ｓ１２ー９で、上記モータ駆動停止タイマがタイムアップしていないと判定された場合にはＳ１２ー１７にジャンプする一方、同タイマがタイムアップしていると判定された場合、Ｓ１２ー１０においてモータ４２の回転方向が正方向であるか否かを判定する。上記Ｓ１２ー１０でモータ４２の回転方向が正方向であると判定された場合、Ｓ１２ー１１においてモータ４２の回転方向を逆方向にセットする一方、モータ４２の回転方向が逆方向であると判定された場合、Ｓ１２ー１２においてモータ４２の回転方向を正方向にセットしたのちにＳ１２ー１３にジャンプする。
　【００７４】
　Ｓ１２ー１３で表示図柄判定回路４０は、モータ位置検出スイッチ４６がＯＮされているか否かを判定し、図１４セに示すようにＯＮされていると判定されたときには、Ｓ１２ー１４においてモータ４２が原位置にリセットされたものとしてモータ４２の作動を停止する。こののちＳ１２ー１５でモータ４２の停止モードを図１４ソに示すようにクリアしたのち、図２１のＳ１３にジャンプする。他方Ｓ１２ー１３でモータ位置検出スイッチ４６がＯＮされていないと判定されタイマ場合には、Ｓ１２ー１６でモータ４２の駆動を継続させて図２１のＳ１３にジャンプする。
　【００７５】
　Ｓ１３では権利フラグ（Ｓ９ー２）のセット有無が判定され、セットされていない場合にはＳ１９にジャンプする一方、権利フラグがセットされている場合、Ｓ１４で第３種始動口スイッチ５２がＯＮされているか否かが判定される。そして第３種始動口スイッチ５２がＯＮされていない場合にはＳ１９にジャンプする一方、ＯＮされている場合にはＳ１５で図１４タに示すように役始動モードをセットする。
　【００７６】
　つぎにＳ１６では現始動入賞球数に「１」を加算して、Ｓ１７でＳ１６における和が「１６」以上であるか否かが判定される。そして上記Ｓ１７で「１６」以上でないことが判定された場合にはＳ１９にジャンプする一方、「１６」以上であることが判定された場合にはＳ１８において権利の消滅処理が施される。
　【００７７】
　この権利の消滅処理の詳細は図２２に開示されている。まずＳ１８ー１において権利フラグをクリアすることによって特別装置４９の動作を停止させ（図１５ＧまたはＩ参照）、Ｓ１８ー２においては権利モード「１」のセット有無が判定される。そして権利モード「１」がセットされている場合は、Ｓ１８ー３へ進み権利モード「１」をクリアして、Ｓ１８ー４で権利モード「２」を新たにセットしたのち（図１５Ｃ参照）、図２１のｓ１９にジャンプする。
　【００７８】
　他方Ｓ１８ー２において権利モード「１」がセットされていないと判定された場合、Ｓ１８ー５において権利モード「３」のセット有無が判定され、権利モード「３」がセットされている場合、Ｓ１８ー６で権利モード「３」をクリアしてＳ１８ー７で権利モード「０」を新たにセットしたのち（図１５Ｅ参照）、図２１のｓ１９にジャンプする。また上記Ｓ１８ー５において権利モード「３」がセットされていないと判定された場合、図２１のｓ１９にジャンプする。
　【００７９】
　ｓ１９においては権利を行使可能にための「役モード」のセット有無が判定され、「役モード」がセットされている場合にはＳ２４にジャンプする一方、「役モード」がセットされていない場合にはＳ２０が実行される。Ｓ２０では上記Ｓ１５において「役始動モード」のセット有無が判定される。そして「役始動モード」がセットされていない場合にはＳ２０から図１６のＳ３８にジャンプする一方、「役始動モード」がセットされている場合、Ｓ２１で図１４チに示すように「役モード」がセットされる。
　【００８０】
　つづいてＳ２２において図示を省略した大入賞口開口タイマに、第２状態にある可変入賞球装置４を第１状態に移行させる時間（本実施例では１０秒間）をセットする。ついでＳ２３で大入賞口ソレノイド１０が図１４ツに示すように駆動制御手段１５によってＯＮすなわち励磁され、Ｓ２４において可変入賞球装置４への入賞球が１０カウントスイッチ１４をＯＮさせたか否かを判定する。
　【００８１】
　Ｓ２４で１０カウントスイッチ１４がＯＮされている場合には、そのカウント数に「１」を加算処理してから（Ｓ２５）、Ｓ２６へ進んで１０カウントスイッチ１４によるカウント数が１０以上であるか否かを判定し、１０以上になっている場合には、Ｓ２８にジャンプする一方、１０カウントスイッチ１４によるカウント数が１０未満である場合にはＳ２７にジャンプする。
　【００８２】
　また上記Ｓ２４で１０カウントスイッチ１４がＯＮされていない場合には、Ｓ２７にジャンプして上記大入賞口開口タイマのタイムアップ有無が判定され、タイムアップしているとき、Ｓ２８で大入賞口ソレノイド１０をＯＦＦすなわち解磁して（図１４テ参照）、第１状態にある可変入賞球装置４を第２状態に移行させることにより開口を終了したのち、Ｓ２９において上記大入賞口開口タイマをクリアし、Ｓ３０へ進む。他方Ｓ２７で上記大入賞口開口タイマがタイムアップしていないと判定されたときには、Ｓ３６で上記大入賞口開口タイマの減算処理が施されたのちに図１６のＳ３８にジャンプする。
　【００８３】
　上記Ｓ３０では可変入賞球装置４の開口中に１０カウントスイッチ１４が入賞球によってＯＮされて、１０カウントスイッチ１４によるカウント数が「０」であるか否かが判定される。この１０カウントスイッチ１４によるカウント数が「０」の場合は、スイッチがズラされている等の不正がなされたものとみなされ、Ｓ３１でエラーモード「２」をセットしたのちに、図１６のＳ３８にジャンプする。
　【００８４】
　他方１０カウントスイッチ１４によるカウント数が「０」でない場合は、Ｓ３２において役モードをクリアした後、Ｓ３３で役始動モードをクリアしてＳ３４へ進みエラーモード「２」のセットの有無を判定する。このＳ３４においてエラーモード「２」がセットされていれば、そのエラー状態は復帰したものとみなしてＳ３５でエラーモード「２」をクリアしてから図１６のＳ３８にジャンプする。またＳ３４においてエラーモード「２」がセットされていなければ、図１６のＳ３８にジャンプする。
　【００８５】
　図１６に戻りＳ３８では、各モードに対応した表示灯の点灯、点滅等の処理を実行したのち、Ｓ３９へ進み、エラーモード「１」または「２」のセットの有無を判定する。ここでエラーモード「１」または「２」がセットされているときにはＳ４０でエラー表示灯の処理を行ったのちＳ４１へ進む。
　【００８６】
　Ｓ４１では上述した各モード等に各々対応した効果音を選択し発生させる処理を行い、Ｓ４２では上記Ｓ４１でセットされた効果音が図示を省略したスピーカなどから出力される。ついでＳ４３では上記第１ないし第３のカウンタの乱数値Ｎ１〜３に係る加算処理が実行された後、割込み信号が入力される迄、Ｓ４４をループする。
　【００８７】
　つぎに上述したＳ４３にける乱数値Ｎ１〜３に係る加算処理を図２３について以下に説明する。まずＳ４３ー１において第１のカウンタの現乱数値Ｎ１に「１」を加算処理したのち、Ｓ４３ー２では、第１のカウンタのあらたな乱数値Ｎ１が「８０」を越えているか否かを判定し、「８０」を越えている場合はＳ４３ー３で第１のカウンタをクリアしたのち、Ｓ４３ー４で「０」を第１のカウンタにセットする。他方Ｓ４３ー２で第１のカウンタの乱数値Ｎ１が「８０」未満である場合は、Ｓ４３ー４でその値をそれぞれ第１のカウンタにセットし、Ｓ４３ー５へ進む。
　【００８８】
　Ｓ４３ー５では、第２のカウンタの現乱数値Ｎ２に「１」を加算処理したのち、Ｓ４３ー６で、その加算処理した第２のカウンタの乱数値Ｎ２が「５」以上であるか否かを判定し、「５」以上である場合は、Ｓ４３ー７で第２のカウンタをクリアして「０」を第２のカウンタにセットする一方、「５」未満である場合は、つぎのＳ４３ー８でその値を第２のカウンタにセットしてＳ４３ー９へ進む。そしてＳ４３ー９では、第２のカウンタの現乱数値Ｎ２が「０」であるか否かを判定し、「０」である場合は、Ｓ４３ー１０が実行される。他方、第２のカウンタの現乱数値Ｎ２が「０」でない場合には割込み信号が入力される迄図１６のＳ４４をループする。
　【００８９】
　つぎにＳ４３ー１０では第３のカウンタの現乱数値Ｎ３に「１」を加算処理したのち、Ｓ４３ー１１でその加算処理した第３のカウンタの乱数値Ｎ３が「３」以上であるか否かを判定し、「３」以上である場合、Ｓ４３ー１２において第３のカウンタをクリアして「０」を第３のカウンタにセットする一方、「３」未満である場合、その値をＳ４３ー１３において第３のカウンタにセットする。そして割込み信号が入力される迄図１６のＳ４４をループする。
　【００９０】
　なお本実施例では図１５に示すように権利モード「２」の場合のみ、確率調節手段３８は当たり確率制御信号を発生させているがこれに限定されない。また本実施例では特定識別情報が停止表示されることにより振分装置４１を作動させ、特別装置作動領域４７へ打球を振分け、該打球が特別装置スイッチ４８に検出されることにより特別装置４９を作動または作動停止させているが、特定識別情報が停止表示されることに基いて、直接、特別装置４９を作動または作動停止させるようにしてもよい。
　【００９１】
　さらにまた本実施例では図柄作動スイッチ１９に打球が検出されることにより所定時間識別情報を変動表示し、こののちに識別情報を停止表示させているが、シリンダを常時変動表示させておき、図柄作動スイッチ１９が打球を検出したときに変動表示を停止して識別情報を停止表示するようにしてもよい。
　【００９２】
　【発明の効果】
本発明は以上説明したように、特別入賞装置内に当り孔と外れ孔を備えた円盤を設けたことにより、権利確保を視覚的に確認でき遊技意欲を向上させるとともに、当り孔を通過したパチンコ球だけが第一特定領域へ到達できるので、特別装置の作動時には前記第一特定領域へ達する確率を低くする作用を果たすことができる。また、可変表示装置に識別情報が停止表示されるまでの間は、第一特定領域へ誘導されたパチンコ球を保持して、パチンコ球が特別装置作動領域に流下されるのを確実に阻止することができる。これにより権利をすべて行使する以前に、権利が消滅すること
を抑
【図面の簡単な説明】
　【図１】本発明の一実施例を示す要部ブロック図である。
　【図２】図１の装置を設けたパチンコ機の要部正面図である。
　【図３】図２のパチンコ機に設けた特別入賞装置の側面図である。
　【図４】図２のパチンコ機に設けた可変入賞球装置の正面図である。
　【図５】図２のパチンコ機に設けた可変入賞球装置の側面図である。
　【図６】図３の特別入賞装置の正面図である。
　【図７】図２と異なる状態を示すパチンコ機の正面図である。
　【図８】図３の円盤を示す平面図である。
　【図９】図３の底部を示す平面図である。
　【図１０】図１の特別装置の正面図である。
　【図１１】図１０と異なる状態を示す特別装置の正面図である。
　【図１２】図１１と異なる状態を示す特別装置の正面図である。
　【図１３】図１２と異なる状態を示す特別装置の正面図である。
　【図１４】図１の装置の制御タイミングの一部を示す図である。
　【図１５】図１４の他部を示すタイミングの図である。
　【図１６】図１の装置の制御手順の一部を示す流れ図である。
　【図１７】図１６の他部を示す流れ図である。
　【図１８】図１７の他部を示す流れ図である。
　【図１９】図１８の他部を示す流れ図である。
　【図２０】図１９の他部を示す流れ図である。
　【図２１】図２０の他部を示す流れ図である。
　【図２２】図２１の他部を示す流れ図である。
　【図２３】図２２の他部を示す流れ図である。
　【符号の説明】
　１　パチンコ機
　４　可変入賞球装置
　５　第２特定領域
　６　特別入賞装置
　７　第１特定領域
　１０　大入賞口ソレノイド
　１８　識別情報表示装置
　３８　確率調節手段
　３９　識別情報表示制御手段
　４９　特別装置